(57)【要約】【課題】種々の開閉方向や配置に対応して取り付けることができる開閉検知装置を提供する。【解決手段】開閉する構造物に取り付けられて該構造物の開閉を検知する開閉検知装置に、正面開放のボックス状の収容ケースと、該収容ケースに収容される本体と、収容された該本体を前記収容ケースに固定する固定手段とを備え、前記収容ケースの一側面を、前記構造物に取り付ける取付面とし、前記固定手段を、正面から見て前記取付面の両端方向に対称に備えた。【選択図】図２
2007219981.tif 000002
【特許請求の範囲】
【請求項１】
開閉する構造物に取り付けられて該構造物の開閉を検知する開閉検知装置であって、
正面開放のボックス状の収容ケースと、
該収容ケースに収容される本体と、
収容された該本体を前記収容ケースに固定する固定手段とを備え、
前記収容ケースの一側面を、前記構造物に取り付ける取付面とし、
前記固定手段を、正面から見て前記取付面の両端方向に対称に備えた
開閉検知装置。
【請求項２】
前記固定手段を、前記収容ケースの前記取付面側とその反対面側との両内側に対向配置されたケース側係合部と、前記本体に設けられて前記ケース側係合部と係合する本体側係合部とで構成し、
前記ケース側係合部と前記本体側係合部の少なくとも一方に、係合する相手側へ向けて付勢する付勢手段を備えた
請求項１記載の開閉検知装置。
【請求項３】
前記反対面側より前記取付面側の付勢力が強くなるように前記ケース側係合部を構成した
請求項２記載の開閉検知装置。
【請求項４】
正面から見て前記取付面両端側のいずれか一方に位置する前記本体の一側面に発光部を突出して備え、
正面から見て前記取付面両端側に位置する前記収容ケースの両側面に、前記発光部を突出許容する溝部を設けた
請求項１、２または３記載の開閉検知装置。
【請求項５】
開閉検知用の検知手段を前記本体の裏面側に設け、
前記収容ケースの裏面側に、前記検知手段が設けられた部位を収容する検知手段収容部を、正面から見て前記取付面の両端方向に対称に設けた
請求項１から４のいずれか１つに記載の開閉検知装置。
【請求項６】
前記本体内に電池を収納する電池収納部を備え、
前記取付面側に位置する前記本体の取付側面またはその反対側面に、前記電池収納部への前記電池の着脱を許容する開口部を設けた
請求項１から５のいずれか１つに記載の開閉検知装置。
【請求項７】
前記本体内に音声を発声するスピーカを備え、
前記スピーカが発声した音声を通過させる音声通過穴を前記本体の正面に備えた
請求項１から６のいずれか１つに記載の開閉検知装置。
【発明の詳細な説明】
【技術分野】
【０００１】
この発明は、例えば２枚一組の窓の一方に本体を、他方に被検知体を取り付け、窓が開閉された際に前記本体が前記被検知体の移動を検知するような開閉検知装置に関する。
【背景技術】
【０００２】
従来、窓や扉の開閉を検知する装置として、扉の開閉を監視することが可能な磁気近接スイッチが提案されている（特許文献１参照）。この磁気近接スイッチは、扉枠にスイッチ本体を取り付け、マグネット本体を扉に取り付けて、扉を閉じたときにマグネット本体の一面とスイッチ本体の一面とが対面するように構成されている。そして、扉が閉じているとき、近接しているマグネット本体の磁束がスイッチ本体に設けられたリードスイッチを通過し、該リードスイッチの接点が閉鎖する。扉が開くと、マグネット本体が離れるため磁束がリードスイッチを通過せず、該リードスイッチの接点が開放される。このようにして、磁気近接スイッチは扉の開閉を検知できる。
【０００３】
また、窓の開閉を検知するワイヤレス防犯システムが提案されている（特許文献２参照）。このワイヤレス防犯システムは、２枚窓の一方の窓枠体の側縁部にワイヤレス送信器が取り付けられ、このワイヤレス送信器に対応して、他方の窓枠体の側縁部あるいは窓ガラスに永久磁石が取り付けられている。これにより、ワイヤレス防犯システムは、上述した磁気近接スイッチと同様に磁束によって窓の開閉を検知できる。
【０００４】
他にも、磁界を利用して窓の開閉を検知する検出装置が提案されている（特許文献３参照）。この検出装置も、サッシに取り付けたマグネットユニットと、窓に取り付けたセンサユニットとを用いて、窓の開閉を検知できる。
【０００５】
一方、扉は右開きや左開きなどいずれの開閉も存在し、また一対の窓にも右側の窓が手前に配置されたものや左側の窓が手前に配置されたものなどいずれの配置も存在する。  
しかし、前記磁気近接スイッチ、ワイヤレス防犯システム、および検出装置は、いずれもスイッチ本体やマグネット本体の取り付けについて特に考慮されておらず、扉や窓の種々の開閉方向や配置に対応できるというものではなかった。
【０００６】
【特許文献１】特開平１０−１２１０９号公報
【特許文献２】特許第２７５６６１１号公報
【特許文献３】特開２００３−２２３６８３号公報
【発明の開示】
【発明が解決しようとする課題】
【０００７】
この発明は上述の問題に鑑み、種々の開閉方向や配置に対応して取り付けることができる開閉検知装置を提供することを目的とする。
【課題を解決するための手段】
【０００８】
この発明は、開閉する構造物に取り付けられて該構造物の開閉を検知する開閉検知装置であって、正面開放のボックス状の収容ケースと、該収容ケースに収容される本体と、収容された該本体を前記収容ケースに固定する固定手段とを備え、前記収容ケースの一側面を、前記構造物に取り付ける取付面とし、前記固定手段を、正面から見て前記取付面の両端方向に対称に備えた開閉検知装置であることを特徴とする。
【０００９】
前記構造物は、窓と窓、窓と窓枠、扉と扉枠、引き出しと引き出し収納枠など、開閉する構造物で構成することができる。従って開閉検知装置は、窓、扉、または引き出しといった開閉する際に移動する構造物に取り付ける、または窓枠、扉枠、引き出しの収納枠といった開閉する際に移動しない構造物に取り付ける、あるいは移動する構造物と移動しない構造物の両方に取り付けるなど、開閉する構造物のどこかに取り付けることができる。  
前記収容ケースは、正面視長方形、正面視正方形、正面視六角形など、様々な形状に形成することができる。
【００１０】
この発明により、種々の開閉方向や配置に対応して開閉検知装置を取り付けることができる。例えば、左右に開く一対の扉のサッシに開閉検知装置を取り付ける場合であれば、取付面を左側にした場合、サッシに右側から収容ケースを取り付け、本体を正面から収容することができる。逆に取付面を右側にした場合、サッシに左側から収容ケースを取り付け、本体を正面から収容することができる。このとき、固定手段は取付面の両端方向に対称（すなわちこの例では上下方向に対称）であるため、収容ケースが上下逆に取り付けられても、本体は上下の向きがそのままで収容ケースに収容し固定手段で固定することができる。
【００１１】
この発明の態様として、前記固定手段を、前記収容ケースの前記取付面側とその反対面側との両内側に対向配置されたケース側係合部と、前記本体に設けられて前記ケース側係合部と係合する本体側係合部とで構成し、前記ケース側係合部と前記本体側係合部の少なくとも一方に、係合する相手側へ向けて付勢する付勢手段を備えることができる。
【００１２】
前記ケース側係合部は、本体側係合部に向かって付勢する付勢突起、本体側係合部として設けられた付勢突起が嵌合する溝や穴、あるいは該付勢突起がひっかかる突起部など、本体側係合部と係合する適宜の構成とすることができる。
【００１３】
前記本体側係合部は、ケース側係合部に向かって付勢する付勢突起、ケース側係合部として設けられた付勢突起が嵌合する溝や穴、あるいは該付勢突起がひっかかる突起部など、ケース側係合部と係合する適宜の構成とすることができる。
【００１４】
この態様により、収容ケースに本体を収容して固定する作業を容易化することができる。
【００１５】
またこの発明の態様として、前記反対面側より前記取付面側の付勢力が強くなるように前記ケース側係合部を構成することができる。  
前記ケース側係合部の付勢力の違いは、前記本体側係合部に前記付勢手段を設けた場合にケース側係合部に形成した突起の高さの違いによって実現する、あるいはケース側係合部に設けた前記付勢手段の弾性力の違いによって実現するなど、適宜の構成で実現することができる。
【００１６】
この態様により、収容ケースを様々な向きにして取付面を構造物に取り付けても、該収容ケースに収容した本体を取付面側に付勢することができる。従って、開閉検知装置の全体の重心を取付面側に寄せることができる。
【００１７】
またこの発明の態様として、正面から見て前記取付面両端側のいずれか一方に位置する前記本体の一側面に発光部を突出して備え、正面から見て前記取付面両端側に位置する前記収容ケースの両側面に、前記発光部を突出許容する溝部を設けることができる。
【００１８】
これにより、収容ケースに対して本体の向きを変えて収容しても、発光部を収容ケースの溝から突出させることができる。従って、収容する向きにかかわらず、利用者は発光部を視認できる。
【００１９】
またこの発明の態様として、開閉検知用の検知手段を前記本体の裏面側に設け、前記収容ケースの裏面側に、前記検知手段が設けられた部位を収容する検知手段収容部を、正面から見て前記取付面の両端方向に対称に設けることができる。
【００２０】
前記検知手段は、被検知体となる永久磁石の磁束が通過すれば接点を閉鎖し磁束が通過しなければ接点を開放するリードスイッチなど、被検知体の近接と離間を検知できる適宜の検知手段で構成することができる。
【００２１】
検知手段収容部は、収容ケースの裏面中央に設ける、あるいは裏面の両端部近傍に対称に設けるなど、対称となる適宜の位置に設けることができる。また、該検知手段収容部は、収容ケースの裏面に形成した穴あるいは凹部など、検知手段を収容できる部分で構成することができる。
【００２２】
この態様により、収容ケースに対して本体の向きを変えて収容しても、検知手段を検知手段収容部に収容することができる。従って、収容する向きにかかわらず、検知手段を効果的に作用させることができる。
【００２３】
またこの発明の態様として、前記本体内に電池を収納する電池収納部を備え、前記取付面側に位置する前記本体の取付側面またはその反対側面に、前記電池収納部への前記電池の着脱を許容する開口部を設けることができる。  
前記電池は、乾電池やボタン電池などの１次電池、または蓄電池や燃料電池などの２次電池など、適宜の電池を使用することができる。
【００２４】
この態様により、電池交換するに際して、収容ケースから本体を取り出す過程で電池収納部から電池が抜け落ちることや、収容ケースに本体を収容する過程で電池の装着不良により収容不良が生じることを防止できる。すなわち、仮に裏面に開口部を設けた場合、収容ケースから本体を取り出す過程で電池が抜け落ちることが考えられる。仮に電池の抜け落ち防止に蓋を設けたとしても、この蓋の閉じ方が完全でなければ、収容ケースに本体が最後まできちんと収容できないといったことが考えられる。本体の側面となる前記取付側面や反対側面に開口部を設けることで、このようなことを防止できる。
【００２５】
またこの発明の態様として、前記本体内に音声を発声するスピーカを備え、前記スピーカが発声した音声を通過させる音声通過穴を前記本体の正面に備えることができる。  
これにより、スピーカから発声した音声を本体の正面側（例えば室内など）に効率よく伝えることができる。
【発明の効果】
【００２６】
この発明により、種々の開閉方向や配置に対応して取り付けることができる開閉検知装置を提供することができる。
【発明を実施するための最良の形態】
【００２７】
この発明の一実施形態を以下図面と共に説明する。  
図１は、センサユニット６の使用状態の斜視図を示し、図２は、開閉検知装置８の斜視図を示し、図３は、本体１０を裏面側から見た斜視図を示し、図４は、開閉検知装置８の縦断右側面図を示し、図５は、収容ケース４０の正面図を示し、図６は、収容ケース４０の横断底面図を示す。
【００２８】
センサユニット６は、図１に示すように、２枚一組に構成される２枚窓１に取り付けられて使用される。  
２枚窓１は、左奥に位置する左奥窓２と、右手前に位置する右手前窓３が前後互い違いに左右に並べて配され、各窓２，３がいずれも左右に開閉する引き違い窓で構成されている。左奥窓２は、ガラス２ａとサッシ２ｂとで構成されており、右手前窓３は、ガラス３ａとサッシ３ｂとで構成されている。
【００２９】
この２枚窓１は、左奥窓２と右手前窓３とがそれぞれ個別に左右にスライド移動可能に図示省略する外枠に嵌め込まれており、閉状態で左奥窓２のサッシ２ｂと右手前窓３のサッシ３ｂとが前後に重合する位置に配置されている。
【００３０】
この右手前窓３のサッシ３ｂの左側面に、開閉検知装置８が化粧面１１を正面に向けて接着固定されている。この接着固定は、両面テープで固定する、あるいは接着剤で固定するなど、適宜の方法で固定するとよい。
【００３１】
左奥窓２のガラス２ａには、開閉検知装置８の裏側に位置合わせされた被検知体としての永久磁石７が接着固定されている。この接着固定は、両面テープで固定する、あるいは接着剤で固定するなど、適宜の方法で固定するとよい。
【００３２】
開閉検知装置８は、図２に示すように本体１０と、該本体１０を着脱可能に収容する収容ケース４０とで構成されている。
【００３３】
本体１０は、全体が略直方体であり、左右の幅が上下方向に一定で両側面が一直線状の平行な形状に形成されている。該本体１０の正面は一回り大きい板状に形成されて、その表面に化粧面１１が設けられている。この化粧面１１は、本実施の形態ではサッシ３ｂに取り付けられた際に室内側に向く面であり、印刷や彫刻等によって図示省略する適宜のデザイン加工が施されている。化粧面１１の下端近傍には、内部に設けられたスピーカの音声を通過させる放音孔１２が設けられている。
【００３４】
本体１０の下面には、導光体３５と押下ボタン３９とが設けられている。この導光体３５と押下ボタン３９は、本体１０の幅方向中央位置に設けられ、本体１０を収容ケース４０に収容する際の収容方向（この例では前後方向）に一直線に配置されている。
【００３５】
本体１０の右側面には、上下に長い溝状の凹部１８が、上下方向に３つ配設されている。この３つの凹部１８は、いずれも本体１０の表裏方向に同一の高さに設けられており、本体１０の上下方向中央位置に設けられた凹部１８を中心に上下対称に形成されている。
【００３６】
本体１０の左側面には、図３の裏側から見た斜視図に示すように、３つの凹部１８が上述した右側面の凹部１８と左右対称に設けられている。また、本体１０の左側面には、電池の着脱を許容する開口部１５が設けられ、該開口部１５の内側に電池を収納する電池収納部１６が設けられている。電池収納部１６の上部には、電池蓋２１の着脱突起２３を着脱する着脱穴１４が設けられ、電池収納部１６の下部には、電池蓋２１の図示省略する係合突起と係合する係合穴１７が設けられている。
【００３７】
電池収容後に前記開口部１５を塞ぐ電池蓋２１は、上部にツマミ部２２が設けられ、装着時の内側面に電池を押圧する押圧部材２４が設けられている。この押圧部材２４は、例えばスポンジで構成されている。電池蓋２１の内側には、着脱突起２３も設けられている。この着脱突起２３は、弾性を有して電池蓋２１本体とツマミ部２２とを接続する役割も有しており、この弾性力で利用者がツマミ部２２を容易につまんで電池蓋２１を取り外せるようにしている。
【００３８】
図４に示すように、本体１０の内部には、電池収納部１６と、基板３０とが設けられている。基板３０は、本体１０の裏面に近い部分に設けられており、磁束の通過の有無によってスイッチＯＮ／ＯＦＦが切り替わるリードスイッチ３１と、アラーム音を鳴らすスピーカ３２と、発光を行うＬＥＤ３３が設けられている。
【００３９】
リードスイッチ３１は、基板３０の裏面部分で、本体１０の上下方向中央部に設けられている。本体１０の裏面２５の上下方向中央部には、このリードスイッチ３１を収容できるように裏面側へ突出した凸部２６が設けられている。また、本体１０の裏面２５の下端近傍にも、裏面側へ突出した凸部２７が設けられている。
【００４０】
ＬＥＤ３３の先端部分に対向して、導光体３５の導光部３８が設けられている。この導光部３８は、ＬＥＤ３３が正面へ向けて発した光を下方へ屈曲させる。そして、導光体３５の下端部分には、光を外部へ放出する発光部３６が設けられている。これにより、ＬＥＤ３３の光を外部へ誘導し、外から発光を視認できるようにしている。
【００４１】
また、この開閉検知装置８は左奥窓２（図１参照）または右手前窓３の開閉を検知すると無線通信で図示省略するセンタコントローラに検知信号を送信するものであるから、図示省略する無線通信部と制御部とが基板３０に設けられている。この制御部の制御により、非警戒モードではＬＥＤ３３を消灯し、警戒モードではＬＥＤ３３を１０秒間隔で点滅させ、警戒モードで開閉を検知したときにＬＥＤ３３を１秒間隔で点滅させると共にセンタコントローラに開閉検知信号を送信する。
【００４２】
図５に示すように、収容ケース４０は、正面を完全開放した直方体であり、裏面８１に、突出部用穴８２，８２およびセンサ用穴８３が設けられている。センサ用穴８３は上下方向中央に設けられており、突出部用穴８２，８２は、上下端部にそれぞれ上下対称に設けられている。また、右側面６１と左側面７１は一直線状に平行に構成され、収容ケース４０の内部幅が上下方向に同一になるように構成されている。
【００４３】
収容ケース４０の右側面６１には、図２に示すように、サッシ３ｂ（図１参照）に取り付ける両面テープを貼り付けるための接着取付部５７，５７が上下対称に設けられている。
【００４４】
また、収容ケース４０の右側面６１には、付勢部６２が上下方向に３つ配設されている。この付勢部６２は、前記センサ用穴８３が設けられている上下方向中央位置に１つ設けられ、前記突出部用穴８２が設けられている上下端部近傍位置にそれぞれ１つずつ設けられて、上下対称に配設されている。
【００４５】
また、収容ケース４０の左側面７１には、付勢部７２が上下方向に３つ配設されている。この付勢部７２は、前記センサ用穴８３が設けられている上下方向中央位置に１つ設けられ、前記突出部用穴８２が設けられている上下端部近傍位置にそれぞれ１つずつ設けられて、上下対称に配設されている。
【００４６】
図６に示すように、付勢部６２と付勢部７２は、互いに左右対向して配置されている。ここで、図６（Ａ）は図５のＡ−Ａ矢視断面図を示し、図６（Ｂ）は図５のＢ−Ｂ矢視断面図を示す。
【００４７】
付勢部７２は、図４に示すように右側面７１に設けられた抜き窓７５部分の正面側端に、正面から裏面へ向けて垂れ下がるように設けられた弾性板７３と、該弾性板７３の裏面側端に図６に示すように内側へ向けて突出形成された凸部７４とで構成されている。弾性板７３は、凸部７４が設けられている端部に向けて内側へ少し傾斜するように形成されている。このため、付勢部７２は、収容される本体１０をしっかりと付勢することができる。この付勢部７２は、樹脂で形成される収容ケース４０と一体形成されている。
【００４８】
付勢部６２は、前記付勢部７２と同様に、抜き窓６５に設けられた弾性板６３と凸部６４とで構成されており、凸部６４の表裏方向の位置は凸部７４と同一であるが、凸部６４の幅方向の突出高さＨ１が凸部７４の突出高さＨ２より低く形成されている。また、弾性板６３の厚みおよび大きさは、弾性板７３の厚みおよび大きさと同一に形成されており、この弾性板６３による弾性力は弾性板７３による弾性力と同一になるように構成されている。
【００４９】
収容ケース４０の上面５１には、幅方向中央位置に表裏方向に一直線に溝５２と穴５３とが設けられている。収容ケース４０の下面５４にも、溝５２と穴５３とが設けられている。この溝５２と穴５３は、上面５１と下面５４とで上下対称に設けられている。そして、収容ケース４０に本体１０を収容した状態で、溝５２内に本体１０の導光体３５が位置し、穴５３内に本体１０の押下ボタン３９が位置するように構成されている。
【００５０】
以上の構成により、種々の開閉方向や配置に対応して取り付けることができる開閉検知装置８を提供できる。詳述すると、図１に示したように、サッシ３ｂの左側面に接着固定する場合には、収容ケース４０の接着取付部５７を図２に示したように右側面に位置させ、この接着取付部５７に両面テープを貼り付けてサッシ３ｂの左側面に固定することができる。
【００５１】
そして、この固定した状態で、収容ケース４０の正面から裏面へ向けて本体１０を挿入し収容することができる。収容された本体１０は、両側面に凹部１８を備えているため、この凹部１８に収容ケース４０の凸部６４や凸部７４がそれぞれ嵌合し、本体１０と収容ケース４０とが固定される。
【００５２】
さらに、凸部６４の突出高さＨ１が凸部７４の突出高さＨ２より低いため、本体１０はサッシ３ｂに取り付けられている接着取付部５７側へより強く付勢される。これにより、開閉検知装置８全体の重心をサッシ３ｂに近づけることができる。
【００５３】
収容ケース４０の下面５４に設けられた溝５２内には、本体１０の導光体３５が位置し、同様に穴５３内には押下ボタン３９が位置する。このため、本体１０を収容ケース４０に収容した状態で、導光体３５の発光を外部から視認でき、押下ボタン３９を押下操作することができる。
【００５４】
また、本体１０の裏面２５に設けられた凸部２６は、収容ケース４０の裏面８１に設けられたセンサ用穴８３内に嵌まり込み、同様に凸部２７は突出部用穴８２内に嵌まり込む。
【００５５】
また、電池を着脱する開口部１５が本体１０の一側面に設けられているため、収容ケース４０に対する本体１０の着脱時に電池が抜け落ちることを防止できる。この抜け落ち防止は、電池蓋２１によって確実になされる。
【００５６】
そして、この電池蓋２１が側面にあることから、電池蓋２１が完全にはまっていないような場合に電池蓋２１が開口部１５から浮くことになり、収容ケース４０に本体１０を収容しようとすれば、収容ケース４０の右側面６１あるいは左側面７１に浮いた電池蓋２１が引っかかって収容できないことになる。従って、電池蓋２１をしっかりはめた状態で収容ケース４０に本体１０を収容することができる。
【００５７】
このように開閉検知装置８をサッシ３ｂに取り付けて、図７の斜視図に示すように左奥窓２または右手前窓３を開けば、開閉検知装置８のリードスイッチ３１に近接していた永久磁石７が離間し、開閉を検知することができる。
【００５８】
さらに、窓の構成がこれと逆に左側が手前で右側が奥であった場合、図８の斜視図に示すように収容ケース４０を上下反転させ、サッシの右側面に、上下反転によって左側面に位置した接着取付部５７を両面テープで固定することができる。
【００５９】
そして、上述した収容ケース４０の溝５２、穴５３、凸部６４、凸部７４、突出部用穴８２、およびセンサ用穴８３は上下対称であるため、これらの構成要素が本体１０に設けられた凹部１８、凸部２６，２７、導光体３５、および押下ボタン３９に行う作用を、全く同一に得ることができる。
【００６０】
このようにして、取り付け対象となる窓や扉の配置にかかわらず、収容ケース４０の向きを適宜設定して接着固定し、本体１０はそのままの向きで収容ケース４０に収容できる開閉検知装置８を提供することができる。そして、収容ケース４０を窓や扉に接着固定する向きが変わっても、本体１０および化粧面１１の向きは変わらないため、化粧面１１に施した意匠が正しい向きの状態で開閉検知装置８を設置できる。
【００６１】
この発明の構成と、上述の実施形態との対応において、
この発明の本体の取付側面および反対側面は、実施形態の本体１０の左右側面に対応し、
以下同様に、
構造物は、サッシ３ｂに対応し、
音声通過穴は、放音孔１２に対応し、
本体側係合部は、凹部１８に対応し、
固定手段は、凹部１８および付勢部６２，７２に対応し、
検知手段は、リードスイッチ３１に対応し、
発光部は、導光体３５に対応し、
溝部は、溝５２に対応し、
取付面は、右側面６１に対応し、
付勢手段は、付勢部６２，７２に対応し、
ケース側係合部は、凸部６４，７４に対応し、
検知手段収容部は、センサ用穴８３に対応し、
正面から見て前記取付面の両端方向は、上下方向に対応するも、
この発明は、上述の実施形態の構成のみに限定されるものではなく、多くの実施の形態を得ることができる。
【００６２】
例えば、片方の窓（例えば左奥窓２または右手前窓３）のみが開閉して他方は固定である片引き窓にセンサユニット６を取り付けても良い。この場合、永久磁石７および開閉検知装置８の一方を開閉する窓に取り付け、他方を固定の窓あるいは窓枠に取り付けると良い。
【００６３】
また、上下に上げ下げする２枚一組の上げ下げ窓の場合は、上述した実施の形態での左右の引き違い窓を９０度回転させた状態と同様に永久磁石７および開閉検知装置８を取り付ければよい。
【００６４】
また、固定された窓枠の中の窓が回動して開閉する外開き窓や内開き窓や滑り出し窓等の窓の場合は、永久磁石７および開閉検知装置８の一方を窓に取り付け、他方を窓枠に取り付けると良い。
【００６５】
また、戸を内側に引いて回動させて開閉する引き戸や、戸を外側へ回動させて開閉する開き戸などの場合も、永久磁石７および開閉検知装置８の一方を戸に取り付け、他方を戸枠に取り付けると良い。
【図面の簡単な説明】
【００６６】
【図１】センサユニットの使用状態の斜視図。
【図２】開閉検知装置の斜視図。
【図３】本体を裏面側から見た斜視図。
【図４】開閉検知装置の縦断右側面図。
【図５】収容ケースの正面図。
【図６】収容ケースの横断底面図。
【図７】センサユニットの使用状態の斜視図。
【図８】サッシに対して左右逆側から取り付ける場合の開閉検知装置の斜視図。
【符号の説明】
【００６７】
３ｂ…サッシ
８…開閉検知装置
１０…本体
１２…放音孔
１５…開口部
１８…凹部
６２，７２…付勢部
３１…リードスイッチ
３２…スピーカ
３５…導光体
４０…収容ケース
５２…溝
６１…右側面
６２，７２…付勢部
６４，７４…凸部
８３…センサ用穴
【図１】
2007219981.tif 000003
【図２】
2007219981.tif 000004
【図３】
2007219981.tif 000005
【図４】
2007219981.tif 000006
【図５】
2007219981.tif 000007
【図６】
2007219981.tif 000008
【図７】
2007219981.tif 000009
【図８】
2007219981.tif 000010
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
開閉する構造物に取り付けられて該構造物の開閉を検知する開閉検知装置であって、
正面開放のボックス状の収容ケースと、
該収容ケースに収容される本体と、
収容された該本体を前記収容ケースに固定する固定手段とを備え、
前記収容ケースの一側面を、前記構造物に取り付ける取付面とし、
前記固定手段を、前記収容ケースの前記取付面側とその反対面側との両内側に対向配置されたケース側係合部と、前記本体に設けられて前記ケース側係合部と係合する本体側係合部とで構成し、正面から見て前記取付面の両端方向に対称に備え、
前記ケース側係合部と前記本体側係合部の少なくとも一方に、係合する相手側へ向けて付勢する付勢手段を備え、
前記取付面側の付勢力より前記反対面側の付勢力の方が強くなるように前記ケース側係合部を構成した
開閉検知装置。
【請求項２】
正面から見て前記取付面両端側のいずれか一方に位置する前記本体の一側面に発光部を突出して備え、
正面から見て前記取付面両端側に位置する前記収容ケースの両側面に、前記発光部を突出許容する溝部を設けた
請求項１記載の開閉検知装置。
【請求項３】
開閉検知用の検知手段を前記本体の裏面側に設け、
前記収容ケースの裏面側に、前記検知手段が設けられた部位を収容する検知手段収容部を、正面から見て前記取付面の両端方向に対称に設けた
請求項１または２記載の開閉検知装置。
【請求項４】
前記本体内に電池を収納する電池収納部を備え、
前記取付面側に位置する前記本体の取付側面またはその反対側面に、前記電池収納部への前記電池の着脱を許容する開口部を設けた
請求項１、２または３記載の開閉検知装置。
【請求項５】
前記本体内に音声を発声するスピーカを備え、
前記スピーカが発声した音声を通過させる音声通過穴を前記本体の正面に備えた
請求項１から４のいずれか１つに記載の開閉検知装置。
【手続補正２】
【補正対象書類名】明細書
【補正対象項目名】全文
【補正方法】変更
【補正の内容】
【発明の詳細な説明】
【技術分野】
【０００１】
この発明は、例えば２枚一組の窓の一方に本体を、他方に被検知体を取り付け、窓が開閉された際に前記本体が前記被検知体の移動を検知するような開閉検知装置に関する。
【背景技術】
【０００２】
従来、窓や扉の開閉を検知する装置として、扉の開閉を監視することが可能な磁気近接スイッチが提案されている（特許文献１参照）。この磁気近接スイッチは、扉枠にスイッチ本体を取り付け、マグネット本体を扉に取り付けて、扉を閉じたときにマグネット本体の一面とスイッチ本体の一面とが対面するように構成されている。そして、扉が閉じているとき、近接しているマグネット本体の磁束がスイッチ本体に設けられたリードスイッチを通過し、該リードスイッチの接点が閉鎖する。扉が開くと、マグネット本体が離れるため磁束がリードスイッチを通過せず、該リードスイッチの接点が開放される。このようにして、磁気近接スイッチは扉の開閉を検知できる。
【０００３】
また、窓の開閉を検知するワイヤレス防犯システムが提案されている（特許文献２参照）。このワイヤレス防犯システムは、２枚窓の一方の窓枠体の側縁部にワイヤレス送信器が取り付けられ、このワイヤレス送信器に対応して、他方の窓枠体の側縁部あるいは窓ガラスに永久磁石が取り付けられている。これにより、ワイヤレス防犯システムは、上述した磁気近接スイッチと同様に磁束によって窓の開閉を検知できる。
【０００４】
他にも、磁界を利用して窓の開閉を検知する検出装置が提案されている（特許文献３参照）。この検出装置も、サッシに取り付けたマグネットユニットと、窓に取り付けたセンサユニットとを用いて、窓の開閉を検知できる。
【０００５】
一方、扉は右開きや左開きなどいずれの開閉も存在し、また一対の窓にも右側の窓が手前に配置されたものや左側の窓が手前に配置されたものなどいずれの配置も存在する。  
しかし、前記磁気近接スイッチ、ワイヤレス防犯システム、および検出装置は、いずれもスイッチ本体やマグネット本体の取り付けについて特に考慮されておらず、扉や窓の種々の開閉方向や配置に対応できるというものではなかった。
【０００６】
【特許文献１】特開平１０−１２１０９号公報
【特許文献２】特許第２７５６６１１号公報
【特許文献３】特開２００３−２２３６８３号公報
【発明の開示】
【発明が解決しようとする課題】
【０００７】
この発明は上述の問題に鑑み、種々の開閉方向や配置に対応して取り付けることができる開閉検知装置を提供することを目的とする。
【課題を解決するための手段】
【０００８】
この発明は、開閉する構造物に取り付けられて該構造物の開閉を検知する開閉検知装置であって、正面開放のボックス状の収容ケースと、該収容ケースに収容される本体と、収容された該本体を前記収容ケースに固定する固定手段とを備え、前記収容ケースの一側面を、前記構造物に取り付ける取付面とし、前記固定手段を、前記収容ケースの前記取付面側とその反対面側との両内側に対向配置されたケース側係合部と、前記本体に設けられて前記ケース側係合部と係合する本体側係合部とで構成し、正面から見て前記取付面の両端方向に対称に備え、前記ケース側係合部と前記本体側係合部の少なくとも一方に、係合する相手側へ向けて付勢する付勢手段を備え、前記取付面側の付勢力より前記反対面側の付勢力の方が強くなるように前記ケース側係合部を構成した開閉検知装置であることを特徴とする。
【０００９】
前記構造物は、窓と窓、窓と窓枠、扉と扉枠、引き出しと引き出し収納枠など、開閉する構造物で構成することができる。従って開閉検知装置は、窓、扉、または引き出しといった開閉する際に移動する構造物に取り付ける、または窓枠、扉枠、引き出しの収納枠といった開閉する際に移動しない構造物に取り付ける、あるいは移動する構造物と移動しない構造物の両方に取り付けるなど、開閉する構造物のどこかに取り付けることができる。  
前記収容ケースは、正面視長方形、正面視正方形、正面視六角形など、様々な形状に形成することができる。
【００１０】
前記ケース側係合部は、本体側係合部に向かって付勢する付勢突起、本体側係合部として設けられた付勢突起が嵌合する溝や穴、あるいは該付勢突起がひっかかる突起部など、本体側係合部と係合する適宜の構成とすることができる。
【００１１】
前記本体側係合部は、ケース側係合部に向かって付勢する付勢突起、ケース側係合部として設けられた付勢突起が嵌合する溝や穴、あるいは該付勢突起がひっかかる突起部など、ケース側係合部と係合する適宜の構成とすることができる。
【００１２】
前記ケース側係合部の付勢力の違いは、前記本体側係合部に前記付勢手段を設けた場合にケース側係合部に形成した突起の高さの違いによって実現する、あるいはケース側係合部に設けた前記付勢手段の弾性力の違いによって実現するなど、適宜の構成で実現することができる。
【００１３】
この発明により、種々の開閉方向や配置に対応して開閉検知装置を取り付けることができる。例えば、左右に開く一対の扉のサッシに開閉検知装置を取り付ける場合であれば、取付面を左側にした場合、サッシに右側から収容ケースを取り付け、本体を正面から収容することができる。逆に取付面を右側にした場合、サッシに左側から収容ケースを取り付け、本体を正面から収容することができる。このとき、固定手段は取付面の両端方向に対称（すなわちこの例では上下方向に対称）であるため、収容ケースが上下逆に取り付けられても、本体は上下の向きがそのままで収容ケースに収容し固定手段で固定することができる。  
また、収容ケースに本体を収容して固定する作業を容易化することができる。    
また、収容ケースを様々な向きにして取付面を構造物に取り付けても、該収容ケースに収容した本体を取付面側に付勢することができる。従って、開閉検知装置の全体の重心を取付面側に寄せることができる。
【００１４】
この発明の態様として、正面から見て前記取付面両端側のいずれか一方に位置する前記本体の一側面に発光部を突出して備え、正面から見て前記取付面両端側に位置する前記収容ケースの両側面に、前記発光部を突出許容する溝部を設けることができる。
【００１５】
これにより、収容ケースに対して本体の向きを変えて収容しても、発光部を収容ケースの溝から突出させることができる。従って、収容する向きにかかわらず、利用者は発光部を視認できる。
【００１６】
またこの発明の態様として、開閉検知用の検知手段を前記本体の裏面側に設け、前記収容ケースの裏面側に、前記検知手段が設けられた部位を収容する検知手段収容部を、正面から見て前記取付面の両端方向に対称に設けることができる。
【００１７】
前記検知手段は、被検知体となる永久磁石の磁束が通過すれば接点を閉鎖し磁束が通過しなければ接点を開放するリードスイッチなど、被検知体の近接と離間を検知できる適宜の検知手段で構成することができる。
【００１８】
検知手段収容部は、収容ケースの裏面中央に設ける、あるいは裏面の両端部近傍に対称に設けるなど、対称となる適宜の位置に設けることができる。また、該検知手段収容部は、収容ケースの裏面に形成した穴あるいは凹部など、検知手段を収容できる部分で構成することができる。
【００１９】
この態様により、収容ケースに対して本体の向きを変えて収容しても、検知手段を検知手段収容部に収容することができる。従って、収容する向きにかかわらず、検知手段を効果的に作用させることができる。
【００２０】
またこの発明の態様として、前記本体内に電池を収納する電池収納部を備え、前記取付面側に位置する前記本体の取付側面またはその反対側面に、前記電池収納部への前記電池の着脱を許容する開口部を設けることができる。  
前記電池は、乾電池やボタン電池などの１次電池、または蓄電池や燃料電池などの２次電池など、適宜の電池を使用することができる。
【００２１】
この態様により、電池交換するに際して、収容ケースから本体を取り出す過程で電池収納部から電池が抜け落ちることや、収容ケースに本体を収容する過程で電池の装着不良により収容不良が生じることを防止できる。すなわち、仮に裏面に開口部を設けた場合、収容ケースから本体を取り出す過程で電池が抜け落ちることが考えられる。仮に電池の抜け落ち防止に蓋を設けたとしても、この蓋の閉じ方が完全でなければ、収容ケースに本体が最後まできちんと収容できないといったことが考えられる。本体の側面となる前記取付側面や反対側面に開口部を設けることで、このようなことを防止できる。
【００２２】
またこの発明の態様として、前記本体内に音声を発声するスピーカを備え、前記スピーカが発声した音声を通過させる音声通過穴を前記本体の正面に備えることができる。  
これにより、スピーカから発声した音声を本体の正面側（例えば室内など）に効率よく伝えることができる。
【発明の効果】
【００２３】
この発明により、種々の開閉方向や配置に対応して取り付けることができる開閉検知装置を提供することができる。
【発明を実施するための最良の形態】
【００２４】
この発明の一実施形態を以下図面と共に説明する。  
図１は、センサユニット６の使用状態の斜視図を示し、図２は、開閉検知装置８の斜視図を示し、図３は、本体１０を裏面側から見た斜視図を示し、図４は、開閉検知装置８の縦断右側面図を示し、図５は、収容ケース４０の正面図を示し、図６は、収容ケース４０の横断底面図を示す。
【００２５】
センサユニット６は、図１に示すように、２枚一組に構成される２枚窓１に取り付けられて使用される。  
２枚窓１は、左奥に位置する左奥窓２と、右手前に位置する右手前窓３が前後互い違いに左右に並べて配され、各窓２，３がいずれも左右に開閉する引き違い窓で構成されている。左奥窓２は、ガラス２ａとサッシ２ｂとで構成されており、右手前窓３は、ガラス３ａとサッシ３ｂとで構成されている。
【００２６】
この２枚窓１は、左奥窓２と右手前窓３とがそれぞれ個別に左右にスライド移動可能に図示省略する外枠に嵌め込まれており、閉状態で左奥窓２のサッシ２ｂと右手前窓３のサッシ３ｂとが前後に重合する位置に配置されている。
【００２７】
この右手前窓３のサッシ３ｂの左側面に、開閉検知装置８が化粧面１１を正面に向けて接着固定されている。この接着固定は、両面テープで固定する、あるいは接着剤で固定するなど、適宜の方法で固定するとよい。
【００２８】
左奥窓２のガラス２ａには、開閉検知装置８の裏側に位置合わせされた被検知体としての永久磁石７が接着固定されている。この接着固定は、両面テープで固定する、あるいは接着剤で固定するなど、適宜の方法で固定するとよい。
【００２９】
開閉検知装置８は、図２に示すように本体１０と、該本体１０を着脱可能に収容する収容ケース４０とで構成されている。
【００３０】
本体１０は、全体が略直方体であり、左右の幅が上下方向に一定で両側面が一直線状の平行な形状に形成されている。該本体１０の正面は一回り大きい板状に形成されて、その表面に化粧面１１が設けられている。この化粧面１１は、本実施の形態ではサッシ３ｂに取り付けられた際に室内側に向く面であり、印刷や彫刻等によって図示省略する適宜のデザイン加工が施されている。化粧面１１の下端近傍には、内部に設けられたスピーカの音声を通過させる放音孔１２が設けられている。
【００３１】
本体１０の下面には、導光体３５と押下ボタン３９とが設けられている。この導光体３５と押下ボタン３９は、本体１０の幅方向中央位置に設けられ、本体１０を収容ケース４０に収容する際の収容方向（この例では前後方向）に一直線に配置されている。
【００３２】
本体１０の右側面には、上下に長い溝状の凹部１８が、上下方向に３つ配設されている。この３つの凹部１８は、いずれも本体１０の表裏方向に同一の高さに設けられており、本体１０の上下方向中央位置に設けられた凹部１８を中心に上下対称に形成されている。
【００３３】
本体１０の左側面には、図３の裏側から見た斜視図に示すように、３つの凹部１８が上述した右側面の凹部１８と左右対称に設けられている。また、本体１０の左側面には、電池の着脱を許容する開口部１５が設けられ、該開口部１５の内側に電池を収納する電池収納部１６が設けられている。電池収納部１６の上部には、電池蓋２１の着脱突起２３を着脱する着脱穴１４が設けられ、電池収納部１６の下部には、電池蓋２１の図示省略する係合突起と係合する係合穴１７が設けられている。
【００３４】
電池収容後に前記開口部１５を塞ぐ電池蓋２１は、上部にツマミ部２２が設けられ、装着時の内側面に電池を押圧する押圧部材２４が設けられている。この押圧部材２４は、例えばスポンジで構成されている。電池蓋２１の内側には、着脱突起２３も設けられている。この着脱突起２３は、弾性を有して電池蓋２１本体とツマミ部２２とを接続する役割も有しており、この弾性力で利用者がツマミ部２２を容易につまんで電池蓋２１を取り外せるようにしている。
【００３５】
図４に示すように、本体１０の内部には、電池収納部１６と、基板３０とが設けられている。基板３０は、本体１０の裏面に近い部分に設けられており、磁束の通過の有無によってスイッチＯＮ／ＯＦＦが切り替わるリードスイッチ３１と、アラーム音を鳴らすスピーカ３２と、発光を行うＬＥＤ３３が設けられている。
【００３６】
リードスイッチ３１は、基板３０の裏面部分で、本体１０の上下方向中央部に設けられている。本体１０の裏面２５の上下方向中央部には、このリードスイッチ３１を収容できるように裏面側へ突出した凸部２６が設けられている。また、本体１０の裏面２５の下端近傍にも、裏面側へ突出した凸部２７が設けられている。
【００３７】
ＬＥＤ３３の先端部分に対向して、導光体３５の導光部３８が設けられている。この導光部３８は、ＬＥＤ３３が正面へ向けて発した光を下方へ屈曲させる。そして、導光体３５の下端部分には、光を外部へ放出する発光部３６が設けられている。これにより、ＬＥＤ３３の光を外部へ誘導し、外から発光を視認できるようにしている。
【００３８】
また、この開閉検知装置８は左奥窓２（図１参照）または右手前窓３の開閉を検知すると無線通信で図示省略するセンタコントローラに検知信号を送信するものであるから、図示省略する無線通信部と制御部とが基板３０に設けられている。この制御部の制御により、非警戒モードではＬＥＤ３３を消灯し、警戒モードではＬＥＤ３３を１０秒間隔で点滅させ、警戒モードで開閉を検知したときにＬＥＤ３３を１秒間隔で点滅させると共にセンタコントローラに開閉検知信号を送信する。
【００３９】
図５に示すように、収容ケース４０は、正面を完全開放した直方体であり、裏面８１に、突出部用穴８２，８２およびセンサ用穴８３が設けられている。センサ用穴８３は上下方向中央に設けられており、突出部用穴８２，８２は、上下端部にそれぞれ上下対称に設けられている。また、右側面６１と左側面７１は一直線状に平行に構成され、収容ケース４０の内部幅が上下方向に同一になるように構成されている。
【００４０】
収容ケース４０の右側面６１には、図２に示すように、サッシ３ｂ（図１参照）に取り付ける両面テープを貼り付けるための接着取付部５７，５７が上下対称に設けられている。
【００４１】
また、収容ケース４０の右側面６１には、付勢部６２が上下方向に３つ配設されている。この付勢部６２は、前記センサ用穴８３が設けられている上下方向中央位置に１つ設けられ、前記突出部用穴８２が設けられている上下端部近傍位置にそれぞれ１つずつ設けられて、上下対称に配設されている。
【００４２】
また、収容ケース４０の左側面７１には、付勢部７２が上下方向に３つ配設されている。この付勢部７２は、前記センサ用穴８３が設けられている上下方向中央位置に１つ設けられ、前記突出部用穴８２が設けられている上下端部近傍位置にそれぞれ１つずつ設けられて、上下対称に配設されている。
【００４３】
図６に示すように、付勢部６２と付勢部７２は、互いに左右対向して配置されている。ここで、図６（Ａ）は図５のＡ−Ａ矢視断面図を示し、図６（Ｂ）は図５のＢ−Ｂ矢視断面図を示す。
【００４４】
付勢部７２は、図４に示すように右側面７１に設けられた抜き窓７５部分の正面側端に、正面から裏面へ向けて垂れ下がるように設けられた弾性板７３と、該弾性板７３の裏面側端に図６に示すように内側へ向けて突出形成された凸部７４とで構成されている。弾性板７３は、凸部７４が設けられている端部に向けて内側へ少し傾斜するように形成されている。このため、付勢部７２は、収容される本体１０をしっかりと付勢することができる。この付勢部７２は、樹脂で形成される収容ケース４０と一体形成されている。
【００４５】
付勢部６２は、前記付勢部７２と同様に、抜き窓６５に設けられた弾性板６３と凸部６４とで構成されており、凸部６４の表裏方向の位置は凸部７４と同一であるが、凸部６４の幅方向の突出高さＨ１が凸部７４の突出高さＨ２より低く形成されている。また、弾性板６３の厚みおよび大きさは、弾性板７３の厚みおよび大きさと同一に形成されており、この弾性板６３による弾性力は弾性板７３による弾性力と同一になるように構成されている。
【００４６】
収容ケース４０の上面５１には、幅方向中央位置に表裏方向に一直線に溝５２と穴５３とが設けられている。収容ケース４０の下面５４にも、溝５２と穴５３とが設けられている。この溝５２と穴５３は、上面５１と下面５４とで上下対称に設けられている。そして、収容ケース４０に本体１０を収容した状態で、溝５２内に本体１０の導光体３５が位置し、穴５３内に本体１０の押下ボタン３９が位置するように構成されている。
【００４７】
以上の構成により、種々の開閉方向や配置に対応して取り付けることができる開閉検知装置８を提供できる。詳述すると、図１に示したように、サッシ３ｂの左側面に接着固定する場合には、収容ケース４０の接着取付部５７を図２に示したように右側面に位置させ、この接着取付部５７に両面テープを貼り付けてサッシ３ｂの左側面に固定することができる。
【００４８】
そして、この固定した状態で、収容ケース４０の正面から裏面へ向けて本体１０を挿入し収容することができる。収容された本体１０は、両側面に凹部１８を備えているため、この凹部１８に収容ケース４０の凸部６４や凸部７４がそれぞれ嵌合し、本体１０と収容ケース４０とが固定される。
【００４９】
さらに、凸部６４の突出高さＨ１が凸部７４の突出高さＨ２より低いため、本体１０はサッシ３ｂに取り付けられている接着取付部５７側へより強く付勢される。これにより、開閉検知装置８全体の重心をサッシ３ｂに近づけることができる。
【００５０】
収容ケース４０の下面５４に設けられた溝５２内には、本体１０の導光体３５が位置し、同様に穴５３内には押下ボタン３９が位置する。このため、本体１０を収容ケース４０に収容した状態で、導光体３５の発光を外部から視認でき、押下ボタン３９を押下操作することができる。
【００５１】
また、本体１０の裏面２５に設けられた凸部２６は、収容ケース４０の裏面８１に設けられたセンサ用穴８３内に嵌まり込み、同様に凸部２７は突出部用穴８２内に嵌まり込む。
【００５２】
また、電池を着脱する開口部１５が本体１０の一側面に設けられているため、収容ケース４０に対する本体１０の着脱時に電池が抜け落ちることを防止できる。この抜け落ち防止は、電池蓋２１によって確実になされる。
【００５３】
そして、この電池蓋２１が側面にあることから、電池蓋２１が完全にはまっていないような場合に電池蓋２１が開口部１５から浮くことになり、収容ケース４０に本体１０を収容しようとすれば、収容ケース４０の右側面６１あるいは左側面７１に浮いた電池蓋２１が引っかかって収容できないことになる。従って、電池蓋２１をしっかりはめた状態で収容ケース４０に本体１０を収容することができる。
【００５４】
このように開閉検知装置８をサッシ３ｂに取り付けて、図７の斜視図に示すように左奥窓２または右手前窓３を開けば、開閉検知装置８のリードスイッチ３１に近接していた永久磁石７が離間し、開閉を検知することができる。
【００５５】
さらに、窓の構成がこれと逆に左側が手前で右側が奥であった場合、図８の斜視図に示すように収容ケース４０を上下反転させ、サッシの右側面に、上下反転によって左側面に位置した接着取付部５７を両面テープで固定することができる。
【００５６】
そして、上述した収容ケース４０の溝５２、穴５３、凸部６４、凸部７４、突出部用穴８２、およびセンサ用穴８３は上下対称であるため、これらの構成要素が本体１０に設けられた凹部１８、凸部２６，２７、導光体３５、および押下ボタン３９に行う作用を、全く同一に得ることができる。
【００５７】
このようにして、取り付け対象となる窓や扉の配置にかかわらず、収容ケース４０の向きを適宜設定して接着固定し、本体１０はそのままの向きで収容ケース４０に収容できる開閉検知装置８を提供することができる。そして、収容ケース４０を窓や扉に接着固定する向きが変わっても、本体１０および化粧面１１の向きは変わらないため、化粧面１１に施した意匠が正しい向きの状態で開閉検知装置８を設置できる。
【００５８】
この発明の構成と、上述の実施形態との対応において、
この発明の本体の取付側面および反対側面は、実施形態の本体１０の左右側面に対応し、
以下同様に、
構造物は、サッシ３ｂに対応し、
音声通過穴は、放音孔１２に対応し、
本体側係合部は、凹部１８に対応し、
固定手段は、凹部１８および付勢部６２，７２に対応し、
検知手段は、リードスイッチ３１に対応し、
発光部は、導光体３５に対応し、
溝部は、溝５２に対応し、
取付面は、右側面６１に対応し、
付勢手段は、付勢部６２，７２に対応し、
ケース側係合部は、凸部６４，７４に対応し、
検知手段収容部は、センサ用穴８３に対応し、
正面から見て前記取付面の両端方向は、上下方向に対応するも、
この発明は、上述の実施形態の構成のみに限定されるものではなく、多くの実施の形態を得ることができる。
【００５９】
例えば、片方の窓（例えば左奥窓２または右手前窓３）のみが開閉して他方は固定である片引き窓にセンサユニット６を取り付けても良い。この場合、永久磁石７および開閉検知装置８の一方を開閉する窓に取り付け、他方を固定の窓あるいは窓枠に取り付けると良い。
【００６０】
また、上下に上げ下げする２枚一組の上げ下げ窓の場合は、上述した実施の形態での左右の引き違い窓を９０度回転させた状態と同様に永久磁石７および開閉検知装置８を取り付ければよい。
【００６１】
また、固定された窓枠の中の窓が回動して開閉する外開き窓や内開き窓や滑り出し窓等の窓の場合は、永久磁石７および開閉検知装置８の一方を窓に取り付け、他方を窓枠に取り付けると良い。
【００６２】
また、戸を内側に引いて回動させて開閉する引き戸や、戸を外側へ回動させて開閉する開き戸などの場合も、永久磁石７および開閉検知装置８の一方を戸に取り付け、他方を戸枠に取り付けると良い。
【図面の簡単な説明】
【００６３】
【図１】センサユニットの使用状態の斜視図。
【図２】開閉検知装置の斜視図。
【図３】本体を裏面側から見た斜視図。
【図４】開閉検知装置の縦断右側面図。
【図５】収容ケースの正面図。
【図６】収容ケースの横断底面図。
【図７】センサユニットの使用状態の斜視図。
【図８】サッシに対して左右逆側から取り付ける場合の開閉検知装置の斜視図。
【符号の説明】
【００６４】
３ｂ…サッシ
８…開閉検知装置
１０…本体
１２…放音孔
１５…開口部
１８…凹部
６２，７２…付勢部
３１…リードスイッチ
３２…スピーカ
３５…導光体
４０…収容ケース
５２…溝
６１…右側面
６２，７２…付勢部
６４，７４…凸部
８３…センサ用穴